(57)【要約】【課題】刈取部の刈高さ調節が面倒であり、操作性および作業性が低い。【解決手段】刈取部４を上下動させるシリンダ２０の基部を機体フレーム１に回動自在に取付け、シリンダ２０のピストンロッド２３の先端は刈取部４を支持する刈取支持フレーム１６に軸２５により回動自在に取付け、前記フレーム１６には、所定高さに刈取部４を上昇させたシリンダ２０の縮小を阻止するロック部材２７を設け、該ロック部材２７はその一端を前記刈取支持フレーム１６に回動自在に取付け、該ロック部材２７の他端は、通常作業時には前記刈取支持フレーム１６の後面側に支持し、所定高さに刈取部４を上昇させた状態で前記ピストンロッド２３に上方から被せて前記刈取上下シリンダ２０のシリンダ部２８の先端に当接する構成としたことを特徴とするコンバイン。【選択図】図５
2009011173.tif 000002
【特許請求の範囲】
【請求項１】
機体フレーム（１）の下方に走行装置を、上方一側に脱穀装置を、夫々設け、前記機体フレーム（１）の前方には刈取上下シリンダ（２０）により上下する刈取部（４）を設け、前記刈取上下シリンダ（２０）の基部は機体フレーム（１）に回動自在に取付け、刈取上下シリンダ（２０）のピストンロッド（２３）の先端は刈取部（４）を支持する刈取支持フレーム（１６）の所定位置に設けた取付部（２４）に軸軸（２５）により回動自在に取付け、前記刈取支持フレーム（１６）には、所定高さに刈取部（４）を上昇させた刈取上下シリンダ（２０）の縮小を阻止するロック部材（２７）を設け、該ロック部材（２７）はその一端を前記刈取支持フレーム（１６）に回動自在に取付け、該ロック部材（２７）の他端は、通常作業時には前記刈取支持フレーム（１６）の後面側に支持し、所定高さに刈取部（４）を上昇させた状態で前記ピストンロッド（２３）に上方から被せて前記刈取上下シリンダ（２０）のシリンダ部（２８）の先端に当接する構成としたことを特徴とするコンバイン。
【請求項２】
請求項１において、前記ロック部材（２７）の一端いは前記刈取支持フレーム（１６）との軸着部より前方に伸びる延長部（３１）を形成し、前記ロック部材（２７）の他端は前記刈取支持フレーム（１６）の上側取付部（２９）に係止部材（３０）により着脱自在に取付けると共に、該刈取支持フレーム（１６）から外した係止部材（３０）は延長部（３１）の下方の刈取支持フレーム（１６）に着脱自在に装着し、ロックしたときのロック部材（２７）の回り止め機構を構成としたことを特徴とするコンバイン。
【請求項３】
請求項２において、前記刈取上下シリンダ（２０）のシリンダ部（２８）の先端には該シリンダ部（２８）より大径の環状の当接部（３２）を設け、当接部（３２）に前後移動自在に前方に突出するストッパ（３５）を設けたことを特徴とするコンバイン。
【発明の詳細な説明】
【技術分野】
【０００１】
本発明は、コンバインに係るものである。
【背景技術】
【０００２】
従来、機体フレームの下方に走行装置を、上方一側に脱穀装置を、夫々設け、前記機体フレームの前方には刈取上下シリンダにより上下する刈取部を設け、前記刈取上下シリンダの基部は機体フレームに回動自在に取付け、刈取上下シリンダのピストンロッドの先端は刈取部を支持する刈取支持フレームの所定位置に設けた取付部に軸により回動自在に取付け、前記刈取上下シリンダには、複数の係合段部を有するストッパー設けた構成は、公知である（特許文献１）
【特許文献１】実開昭６０−１９０２１８号公報
【発明の開示】
【発明が解決しようとする課題】
【０００３】
前記公知例は、刈取上下シリンダに複数の係合段部を有するストッパー設けているため、刈取部の下降を規制できるが、種々設定する刈高さにおいて、一々刈取上下シリンダの縮小をロックするので、刈取部の刈高さ調節が面倒であるという課題がある。
本願は、刈取部の刈高さ調節には干渉せずに、所定高さのとき刈取上下シリンダの短縮をロックし、また、刈取部の過剰下降を規制し、刈取部の上下動を確実に規制するようにしたものである。
【課題を解決するための手段】
【０００４】
請求項１の発明は、機体フレーム１の下方に走行装置を、上方一側に脱穀装置を、夫々設け、前記機体フレーム１の前方には刈取上下シリンダ２０により上下する刈取部４を設け、前記刈取上下シリンダ２０の基部は機体フレーム１に回動自在に取付け、刈取上下シリンダ２０のピストンロッド２３の先端は刈取部４を支持する刈取支持フレーム１６の所定位置に設けた取付部２４に軸軸２５により回動自在に取付け、前記刈取支持フレーム１６には、所定高さに刈取部４を上昇させた刈取上下シリンダ２０の縮小を阻止するロック部材２７を設け、該ロック部材２７はその一端を前記刈取支持フレーム１６に回動自在に取付け、該ロック部材２７の他端は、通常作業時には前記刈取支持フレーム１６の後面側に支持し、所定高さに刈取部４を上昇させた状態で前記ピストンロッド２３に上方から被せて前記刈取上下シリンダ２０のシリンダ部２８の先端に当接する構成としたことを特徴とするコンバインとしたものであり、コンバインを前進させて、刈取部４の分草装置で分草するとともに引起装置９で引起し、その後刈刃で穀稈の根本側を切断し、切断した穀稈を穀稈搬送装置で搬送して穀稈の刈取作業を行う。
刈取支持フレーム１６の後面側にロック部材２７の他端を支持した状態で刈取作業を行い、所定高さに刈取部４を上昇させると、刈取支持フレーム１６に取り付けたロック部材２７の他端を外して、ロック部材２７の一端の軸着部を中心に回動させてピストンロッド２３にロック部材２７を上方から被せて刈取上下シリンダ２０の縮小を阻止する。
請求項２の発明は、前記ロック部材２７の一端いは前記刈取支持フレーム１６との軸着部より前方に伸びる延長部３１を形成し、前記ロック部材２７の他端は前記刈取支持フレーム１６の上側取付部２９に係止部材３０により着脱自在に取付けると共に、該刈取支持フレーム１６から外した係止部材３０は延長部３１の下方の刈取支持フレーム１６に着脱自在に装着し、ロックしたときのロック部材２７の回り止め機構を構成としたことを特徴とするコンバインとしたものであり、ロック部材２７は、係止部材３０を刈取支持フレーム１６から外してロック部材２７の他端を刈取支持フレーム１６から外し、ピストンロッド２３にロック部材２７を上方から被せて刈取上下シリンダ２０の縮小を阻止する。そして、刈取支持フレーム１６から外した係止部材３０をロック部材２７の延長部３１の下方に装着し、ピストンロッド２３に被せたロック部材２７が起立方向に回動するのを規制する。
請求項３の発明は、前記刈取上下シリンダ２０のシリンダ部２８の先端には該シリンダ部２８より大径の環状の当接部３２を設け、当接部３２に前後移動自在に前方に突出するストッパ３５を設けたことを特徴とするコンバインとしたものであり、作業終了後等の、刈取部４を最下方位置に下降させると、刈取支持フレーム１６がストッパ３５に当接し、刈取部４の下降を規制する。
【発明の効果】
【０００５】
請求項１の発明では、ロック部材２７は刈取上下シリンダ２０のピストンロッド２３の下面を除いた三方を包囲してシリンダ部２８に当接するので、刈取上下シリンダ２０の縮小を確実に阻止でき、また、刈取部４を所定高さ以上に上昇させたときにロック部材２７によって刈取上下シリンダ２０の縮小を阻止するので、例えば、刈取部４を上昇させた状態で刈刃装置の交換を行うようなメンテナンス作業を安全且つ容易に行うことができる。
また、ロック部材２７は刈取支持フレーム１６の後面側に支持した状態で通常の刈取作業を行え、また、刈取上下シリンダ２０の縮小を阻止するときはロック部材２７の他端を外してピストンロッド２３に被せるだけであり、作業性を向上させ、合理的な構成にできる。
請求項２の発明では、上記請求項１の発明の効果に加え、ロック部材２７により刈取上下シリンダ２０の縮小を阻止するとともに、係止部材３０によりロック部材２７の外れを防止できるので、二重の安全機構を簡単に構成できる。
請求項３の発明では、上記請求項１の発明の効果に加え、刈取部４の過剰下降を規制でき、刈取部４の上下動の規制機構を合理的に構成できる。
【発明を実施するための最良の形態】
【０００６】
本発明の実施例を図により説明すると、１は機体フレーム、２は該機体フレーム１の下方位置に設けた走行装置、３は機体フレーム１の上方位置に設けた脱穀装置、４は脱穀装置３の前側に設けた刈取部、５はグレンタンク、６はグレンタンク５内の穀粒を排出する排出オーガ、７は操縦部である。
前記刈取部４は、最先端位置に分草装置８を左右に並設し、各分草装置８の後側に分草装置８が分草した穀稈を引起す引起装置９を設け、引起装置９の後側には刈刃１０を設け、刈刃１０の上方から後側には刈刃１０によって刈り取った穀稈を搬送する穀稈搬送装置（図示省略）を設ける。
穀稈搬送装置の構成は任意であり、掻き込み装置や後方に搬送する後側搬送装置等により構成する。１１は扱深さ調節装置を兼用する穀稈搬送装置の一部を構成する株元搬送装置１１であり、株元搬送装置１１の終端側には脱穀装置３に穀稈を供給する穀稈供給搬送装置１２へ引き継ぐ引継ぎ搬送装置１３を設けている。
【０００７】
しかして、刈取部４は、少なくとも、分草装置８と引起装置９と刈刃１０と刈り取った穀稈を搬送する穀稈搬送装置の一部を刈取フレーム１５に設け、刈取フレーム１５は刈取支持フレーム１６の先側に設ける。刈取支持フレーム１６は、公知のごとく、機体固定部に設けた刈取懸架支持台（図示省略）にその基部を回動自在に取付ける。
刈取支持フレーム１６には、刈取部４を上下させる刈取上下シリンダ２０を取付ける。刈取上下シリンダ２０は、その基部を機体フレーム１のシリンダ取付ステー２１に軸２２により回動自在に取付ける。刈取上下シリンダ２０のピストンロッド２３は前方に突出させ、前記刈取支持フレーム１６の所定位置に設けた取付部２４に軸２５により回動自在に取付ける。
前記刈取支持フレーム１６には、所定高さに刈取部４を上昇させたとき、刈取上下シリンダ２０のピストンロッド２３の縮小を阻止（ロック）するロック部材２７を設ける。
【０００８】
ロック部材２７は、一端を前記刈取支持フレーム１６に取付け、他端を前記刈取上下シリンダ２０のシリンダ部２８の先端に当接させ、刈取上下シリンダ２０のピストンロッド２３の縮小を阻止（ロック）するように構成する。
ロック部材２７の一端は前記取付部２４の軸２５に回動自在に取付け、ロック部材２７の他端は別途刈取支持フレーム１６に設けた上側取付部２９に係止部材（ピン）３０により着脱自在に取付ける。係止部材３０は上側取付部２９に着脱自在に取付け、上側取付部２９から外した係止部材３０をロック部材２７の軸２５より伸びる延長部３１の下方に着脱自在に装着し、ロックしたときのロック部材２７の回り止め（外れ止め）として作用する。
即ち、ロック部材２７は、通常作業のときは刈取支持フレーム１６の後面側に位置し、刈取部４を所定高さに上昇させたときは、係止部材３０を上側取付部２９から外し、ロック部材２７を軸２５中心に回動させ、軸２５の他端を刈取上下シリンダ２０のシリンダ部２８の先端に当接させ、刈取上下シリンダ２０のピストンロッド２３の縮小を阻止し、上側取付部２９から外した係止部材３０をロック部材２７の延長部３１の下方の取付部２４に装着する。
【０００９】
そのため、ロックしたロック部材２７が外れるとき、図において延長部３１が反時計方向に回動するので、延長部３１に係止部材３０が当たって、ロック部材２７の外れを防止する。
したがって、ロック部材２７は、それ自体で刈取上下シリンダ２０の縮小を規制するロックするとともに、係止部材３０および延長部３１によりロック部材２７がピストンロッド２３からの外れを防止する二重のロックをすることができ、合理的構成となる。
また、シリンダ部２８の先端にシリンダ部２８より大径の環状の当接部３２を設け、当接部３２にロック部材２７の他端を当接させる。
この場合、ロック部材２７は、上板３３と左右板３４とにより下方を開放した断面コ字型形状に形成し、刈取上下シリンダ２０のピストンロッド２３に上方から被せて、ロック部材２７の他端を当接部３２に当接するように構成する。
そのため、横方向の荷重に対してもロック部材２７は強固にロックすると共に、左右の左右板３４が当接部３２に当たるので、重量バランスも良好に支持する。
【００１０】
また、ピストンロッド２３とロック部材２７とが互いにガイドのように作用して、ロック部材２７のロック状態への移行を容易にする作用も期待できる。
しかして、前記刈取上下シリンダ２０のシリンダ部２８の先端の当接部３２には、前方に突出するストッパ３５を設ける。ストッパ３５は刈取支持フレーム１６に当接して所定以上の刈取部４の下降を規制する。実施例のストッパ３５はボルト３６により形成し、当接部３２に設けた取付部３７に前後移動自在に螺合させて取り付ける。
そのため、刈取上下シリンダ２０のピストンロッド２３を縮小させて刈取部４を下降させ、刈取部４が所定以下の高さまで下降すると、刈取支持フレーム１６がボルト３６の先端に当接し、刈取部４の下降を停止させる。
しかして、刈取部４の左右両側の引起装置９の外側には概ね三角形状のサイドカバー４０を設ける。サイドカバー４０は上部と前側下部を、前記刈取フレーム１５および該刈取フレーム１５に固定状態に取付けた引起装置９側に取付部材４１により固定する。
【００１１】
サイドカバー４０の下縁は、前記刈取フレーム１５の左右方向の刈取下部伝動フレーム４３の左右両側の左右側前後フレーム４４の上方に、所定の間隔をいて設ける。左右側前後フレーム４４には前側支持係合部４５と後側支持係合部４６とを設ける。前記サイドカバー４０の下部には前後方向の棒形状の変形防止補強部材４７を設ける。
従来（実開平２−１３７８３１号公報）では、互いに前後反対向きの係合部材によりサイドカバーの下部をフレームに固定していたが、夫々の係合部材に夫々取付部材を係合させて取付け作業を行うので、非常に面倒であった。
本願の変形防止補強部材４７と前側支持係合部４５および後側支持係合部４６とは、後方または前方の同一方向にサイドカバー４０を移動させると、夫々同時に係合するように構成する。
【００１２】
そのため、変形防止補強部材４７と前側支持係合部４５および後側支持係合部４６との係合作業は容易に行える。次に、この状態で、引起装置９側に取付部材４１によりサイドカバー４０を固定すればよく、取付け作業を容易にする。
即ち、実施例では、図示省略するが、前側支持係合部４５に変形防止補強部材４７が挿入係合する係合孔を形成し、図示省略するが、前記変形防止補強部材４７に設けた係合孔に挿入係合する係合ピン４８を後側支持係合部４６に設け、変形防止補強部材４７の前端と係合ピン４８に夫々係合孔を係合させて左右方向に移動しないように係合固定する。
したがって、サイドカバー４０は、取付部材４１を外すと、変形防止補強部材４７中心に外側に開くことができ、また、サイドカバー４０を前または後の同一方向に移動させると、刈取部４から外すことができ、メンテナンス作業を容易にする。
【００１３】
また、左右側前後フレーム４４の付近は泥土が溜まりやすく、サイドカバー４０の下部に走行中抵抗が掛かるが、変形防止補強部材４７によりサイドカバー４０の変形破損を防止する。
しかして、前記引継ぎ搬送装置１３は、搬送チエン５０とホルダ５１により構成される。前記搬送チエン５０の後側案内歯車（図示省略）の回転軸５２は、搬送チエン５０の前側案内歯車５３の回転軸54中心に左右方向に回動自在に構成する。
即ち、引継ぎ搬送装置１３も穀稈供給搬送装置１２に対して移動することにより、一層、穀稈の長短に対応しうる範囲を大きくしており、短穀稈の場合、回転軸５２が内側となるように搬送チエン５０全体を移動させる。
一方、前記ホルダ５１は、一対の支持軸５５の先端に取付け、支持軸５５の基部は取付ステー５６に前後移動自在に取付け、バネ５７によりホルダ５１が常時搬送チエン５０に接近するように付勢している。取付ステー５６は、コンバインの任意の固定部に取付けるが、この任意の固定部または前記取付ステー５６の何れか一方に長孔６０を設け、長孔６０にボルト６１を挿通し、長孔６０により穀稈の長短に合わせた前記引継ぎ搬送装置１３の移動にホルダ５１を追随させる。
【００１４】
この場合、ホルダ５１は、前記搬送チエン５０を内側に移動させて短穀稈対応にさせるとき、前後２個のボルト６１のうち後側のボルト６１の位置を長孔６０により内側に移動させる。
そのため、ホルダ５１の中間部から終端にかけて搬送チエン５０に接近し、一方、ホルダ５１の始端部は搬送チエン５０の始端部から離れ、穀稈搬送路の始端部を広くさせることができ、穀稈の取込を良好にし、詰まりの発生を防止する。
したがって、取付ステー５６を固定するボルト６１が長孔６０内を移動することにより、簡単に、しかも効率よく搬送チエン５０の移動にホルダ５１を追随させることができ、こそとを低くして、短穀稈に対応した引継ぎ搬送装置１３を提供できる。
しかして、走行装置２は、駆動輪６５と緊張輪６６と転輪６７にクローラ６８を掛け回して構成する。前記緊張輪６６は、その回転軸７０の両端に夫々アーム７１の後部を取付け、アーム７１は一対のボス部７２に夫々前後移動自在に挿通する。ボス部７２は走行装置２の走行フレーム７３の後部に固定する。アーム７１の前端はボス部７２より前方に突出させ、ボス部７２の前端には当接部材７４を当接させる。当接部材７４にはテンションボルト７５を螺合させる。テンションボルト７５は前記一対のボス部７２の間に設けた支持部７６に前後移動自在に挿通し、テンションボルト７５の後部にはテンションナット７７を螺合させる。テンションナット７７には図示省略するがテンションボルト７５が螺合する螺子孔を形成すると共に、回り止め部７８を形成し、テンションボルト７５を螺合させるとき、テンションナット７７が共回りしないようにしている。
【００１５】
緊張輪６６のテンション機構Ｔは、緊張輪６６がクローラ６８により常時前方移動するように荷重が掛かっており、緊張輪６６のテンションナット７７がアーム７１を前方移動させ、アーム７１の前方移動を当接部材７４が受け止め、当接部材７４はテンションボルト７５が螺合するテンションナット７７と支持部７６の当接により前進が停止させられて、緊張輪６６は所定位置に位置する。そして、テンションボルト７５をテンションナット７７に対して押し込んで後方移動させると、緊張輪６６はクローラ６８を緊張させ、反対に、テンションボルト７５を弛めて前方移動させると、緊張輪６６はクローラ６８の張りを弛める。
この場合、従来、テンションナット７７は、走行フレーム７３と一体に構成されていたため、万一テンションボルト７５が破損した場合、破損したテンションボルト７５をテンションナット７７から取り外すのに時間を要し、修理時間が長く掛かったが、本願のテンションナット７７は取付け式にして脱着可能としたので、単に、テンションボルト７５およびテンションナット７７を交換するだけで良く、修理工数を削減できる。
【００１６】
また、テンションナット７７は一対のボス部７２の間に位置させているので、テンションナット７７の放射方向に回り止め部７８を形成するだけでよく、簡素な構成となる。
なお、前記した各実施例は、理解を容易にするために、個別または混在させて図示、あるいは説明しているが、これらは夫々種々組合せ可能であり、これらの表現によって、構成・作用等が限定されるものではなく、また、相乗効果を奏する場合も勿論存在する。
【図面の簡単な説明】
【００１７】
【図１】コンバインの側面図。
【図２】同平面図。
【図３】同正面図。
【図４】刈取上下シリンダ付近の側面図。
【図５】ロック部材によりロックした状態の刈取上下シリンダ付近の側面図。
【図６】刈取部の下降を規制する状態の側面図。
【図７】ロック部材付近の拡大側面図。
【図８】ロック部材のロック状態の拡大側面図。
【図９】ロック部材を刈取支持フレームに取り付けた状態の背面図。
【図１０】サイドカバーの側面図。
【図１１】前側係合部の側面図。
【図１２】後側係合部の側面図。
【図１３】引継装置の平面図。
【図１４】同側面図。
【図１５】同側面図。
【図１６】引継装置が外側に位置したときの平面図。
【図１７】引継装置が内側に位置したときの平面図。
【図１８】緊張輪の分解斜視図。
【図１９】同取付部分の側面図。
【符号の説明】
【００１８】
１…機体フレーム、２…走行装置、３…脱穀装置、４…刈取部４、５…グレンタンク、７…操縦部、８…分草装置、９…引起装置、１０…刈刃、１１…株元搬送装置、１２…穀稈供給搬送装置、１３…引継ぎ搬送装置、１５…刈取フレーム、１６…刈取支持フレーム、２０…刈取上下シリンダ、２１…シリンダ取付ステー、２２…軸、２３…ピストンロッド、２４…取付部、２５…軸、２７…ロック部材、２８…シリンダ部、２９…上側取付部、３０…係止部材、３１…延長部、３２…当接部、３３…上板、３４…左右板、３５…ストッパ、３６…ボルト、３７…取付部、４０…サイドカバー、４１…取付部材、４３…刈取下部伝動フレーム、４４…左右側前後フレーム、４５…前側支持係合部、４６…後側支持係合部、４７…変形防止補強部材、４８…係合ピン、５０…搬送チエン、５１…ホルダ、５２…回転軸、５３…前側案内歯車、５５…支持軸、５６…取付ステー、５７…バネ、６０…長孔、６１…ボルト、６５…駆動輪、６６…緊張輪、６７…転輪、６８…クローラ、７０…回転軸、７１…アーム、７２…ボス部、７３…走行フレーム、７４…当接部材、７５…テンションボルト、７６…支持部、７７…テンションナット、７８…回り止め部。
【図１】
2009011173.tif 000003
【図２】
2009011173.tif 000004
【図３】
2009011173.tif 000005
【図４】
2009011173.tif 000006
【図５】
2009011173.tif 000007
【図６】
2009011173.tif 000008
【図７】
2009011173.tif 000009
【図８】
2009011173.tif 000010
【図９】
2009011173.tif 000011
【図１０】
2009011173.tif 000012
【図１１】
2009011173.tif 000013
【図１２】
2009011173.tif 000014
【図１３】
2009011173.tif 000015
【図１４】
2009011173.tif 000016
【図１５】
2009011173.tif 000017
【図１６】
2009011173.tif 000018
【図１７】
2009011173.tif 000019
【図１８】
2009011173.tif 000020
【図１９】
2009011173.tif 000021